(57)【要約】【課題】口頸部（４６）を開封する際に周方向破断可能ライン（１８）が破断されてタンパーエビデント裾部（２２）がスカート壁（６）の主部（２０）から分離されると、タンパーエビデント裾部が上昇した位置に保持されることなく充分確実に降下せしめられるようにせしめる合成樹脂製容器蓋を提供する。【解決手段】タンパーエビデント裾部の内周面に形成されている係止突条（３２）の上面の半径方向外側部位及び／又はタンパーエビデント裾部の内周面における係止突条の上面に続く部位に、周方向に間隔をおいて複数個の突出リブ（４２）を形成する。【選択図】図１
2015182802.tif 000002
【特許請求の範囲】
【請求項１】
円形天面壁と該天面壁の周縁から垂下する円筒形スカート壁とを具備し、該スカート壁には周方向に延在する周方向破断可能ラインが形成されていて、該スカート壁は該周方向破断可能ラインよりも上方の主部と該周方向破断可能ラインよりも下方のタンパーエビデント裾部とに区画されており、該主部の内周面には雌螺条が形成され、該タンパーエビデント裾部の内周面には係止突条が配設されており、該係止突条は半径方向内方に向かって水平に或いは下方に傾斜して延出する上面を有する合成樹脂製容器蓋において、
該係止突条の該上面の半径方向外側部位及び／又は該タンパーエビデント裾部の内周面における該係止突条の上面に続く部位には、周方向に間隔をおいて複数個の突出リブが形成されている、ことを特徴とする合成樹脂製容器蓋。
【請求項２】
該突出リブは上方に向かって半径方向外方に傾斜している内面を有する、請求項１記載の合成樹脂製容器蓋。
【請求項３】
該突出リブは上方に向かって半径方向外方に傾斜している線状内縁を有する、請求項１記載の合成樹脂製容器蓋。
【請求項４】
該係止突条は周方向に間隔をおいて複数個形成されている、請求項１から３までのいずれかに記載の合成樹脂製容器蓋。
【請求項５】
該係止突条は周方向に連続して延在する環状である、請求項１から３までのいずれかに記載の合成樹脂製容器蓋。
【発明の詳細な説明】
【技術分野】
【０００１】
本発明は、タンパーエビデント特性を備えた合成樹脂製容器蓋、更に詳しくは円形天面壁とこの天面壁の周縁から垂下する円筒形スカート壁とを具備し、スカート壁には周方向に延在する周方向破断可能ラインが形成されていて、スカート壁は周方向破断可能ラインよりも上方の主部と周方向破断可能ラインよりも下方のタンパーエビデント裾部とに区画されており、主部の内周面には雌螺条が形成され、タンパーエビデント裾部の内周面には係止突条が配設されている形態の合成樹脂製容器蓋に関する。
【背景技術】
【０００２】
飲料用容器として、円筒形状の口頸部を具備し、この口頸部の外周面には雌螺条とこの雌螺条の下方に位置する環状係止突条とが形成されている、合成樹脂或いはガラスから形成された容器が広く実用に供されている。そして、かような形態の容器のための容器蓋として、下記特許文献１及び２に開示されている如く、円形天面壁とこの天面壁の周縁から垂下する円筒形スカート壁とを具備し、スカート壁には周方向に延在する周方向破断可能ラインが形成されていて、スカート壁は周方向破断可能ラインよりも上方の主部と周方向破断可能ラインよりも下方のタンパーエビデント裾部とに区画されている形態の合成樹脂製容器蓋が提案され実用に供されている。スカート壁の内周面には雌螺条が形成され、タンパーエビデント裾部の内周面には周方向に間隔をおいて周方向に延びる複数個の係止突条或いは周方向に連続して延びる環状の係止突条が形成されている。係止突条は上方に向かって半径が漸次増大する下面、円筒形状の外周面及び実質上水平に延在する上面を有する。タンパーエビデント裾部の内周面における、係止突条の上面に続く部位には環状嵌合面が配設され、かかる嵌合面の内径はそれよりも上方の部位の内径よりも幾分小さくせしめられている。
【０００３】
内容物が充填された容器の口頸部に容器蓋を装着して口頸部を密封する際には、口頸部に容器蓋を被嵌して閉方向（上方から見て時計方向）に回転せしめて、容器蓋の雌螺条を口頸部の雄螺条に螺合せしめる。雌螺条と雄螺条の螺合に応じて口頸部に対して容器蓋は漸次下降せしめられ、タンパーエビデント裾部に形成されている係止突条は口頸部に形成されている係止突条を弾性的に乗り越えてその下方に位置せしめられる。内容物を消費するために口頸部を開封する際には、容器蓋を開方向（上方から見て反時計方向）に回転せしめ、雄螺条に対する雌螺条の螺合を漸次解除する。雄螺条に対する雌螺条の螺合解除に応じて口頸部に対して容器蓋のタンパーエビデント裾部以外の部分は漸次上昇せしめられるが、タンパーエビデント裾部はその内周面に形成されている係止突条が口頸部の係止突条に係止せしめられる故に上昇が阻止され、これによって周方向破断可能ラインが破断され、タンパーエビデント裾部がスカ−ト壁の主部から分離される。そして、タンパーエビデント裾部を口頸部に残留せしめて容器蓋のタンパーエビデント裾部以外の部分が口頸部から離脱せしめられ、口頸部が開封される。周方向破断可能ラインが破断される時点においては、タンパーエビデント裾部も幾分上昇せしめられてタンパーエビデント裾部に形成されている係止突条が口頸部に形成されている係止突条に係止せしめられると共に、タンパーエビデント裾部の内周面に配設されている嵌合面が口頸部の係止突条の外周面に弾性的に係止せしめられてタンパーエビデント裾部が緊張状態に維持され、これによって周方向破断可能ラインが充分確実に破断される（換言すれば、周方向破断可能ラインが破断されることなくタンパーエビデント裾部も上昇して口頸部から離脱されてしまう所謂すっぽ抜けが発生することが充分確実に回避される）。
【先行技術文献】
【特許文献】
【０００４】
【特許文献１】特開２０１１−１４３９４２号公報
【特許文献２】特許第５２９１１７５号公報
【発明の概要】
【発明が解決しようとする課題】
【０００５】
而して、本発明者の経験によれば、上述したとおりの従来の容器蓋には、次のとおりの解決すべき問題があることが判明した。周方向破断可能ラインが破断される際にはタンパーエビデント裾部も幾分上昇され、タンパーエビデント裾部の内周面に配設されている嵌合面が口頸部の係止突条の外周面に周方向全体に渡って弾性的に係止せしめられてタンパーエビデント裾部が緊張状態に維持されることに起因して、周方向破断可能ラインが破断された後においても、タンパーエビデント裾部は下方に降下せしめられることなく上昇した位置に保持され、それ故に消費者が口頸部を咥えて内容物を消費する際に、消費者の唇にタンパーエデデント裾部が当接し、消費者に不快感を与えてしまう傾向がある。また、容器蓋のタンパーエビデント裾部以外の部分が口頸部に再装着された場合、スカート壁の主部の下端とタンパーエビデント裾部の上端との間に充分な間隙が存在せず、従って周方向破断可能ラインが既に破断されたことが充分に明示されず、タンパーエビデント特性が毀損されてしまう虞がある。
【０００６】
本発明は上記事実に鑑みてなされたものであり、その主たる技術的課題は、容器蓋に改良を加えて、口頸部を開封する際に周方向破断可能ラインが破断されてタンパーエビデント裾部がスカート壁の主部から分離されると、タンパーエビデント裾部が上昇した位置に保持されることなく充分確実に降下せしめられるようにせしめることである。
【課題を解決するための手段】
【０００７】
本発明者は、鋭意研究及び実験の結果、タンパーエビデント裾部の内周面に形成されている係止突条の上面の半径方向外側部位及び／又はタンパーエビデント裾部の内周面における係止突条の上面に続く部位に、周方向に間隔をおいて複数個の突出リブを形成することによって上記主たる技術的課題を達成することができることを見出した。
【０００８】
即ち、本発明によれば、上記主たる技術的課題を達成することができる合成樹脂容器蓋として、円形天面壁と該天面壁の周縁から垂下する円筒形スカート壁とを具備し、該スカート壁には周方向に延在する周方向破断可能ラインが形成されていて、該スカート壁は該周方向破断可能ラインよりも上方の主部と該周方向破断可能ラインよりも下方のタンパーエビデント裾部とに区画されており、該主部の内周面には雌螺条が形成され、該タンパーエビデント裾部の内周面には係止突条が配設されており、該係止突条は半径方向内方に向かって水平に或いは下方に傾斜して延出する上面を有する合成樹脂製容器蓋において、
該係止突条の該上面の半径方向外側部位及び／又は該タンパーエビデント裾部の内周面における該係止突条の上面に続く部位には、周方向に間隔をおいて複数個の突出リブが形成されている、ことを特徴とする合成樹脂製容器蓋が提供される。
【０００９】
好ましくは、該突出リブは上方に向かって半径方向外方に傾斜している内面を有する、或いは該突出リブは上方に向かって半径方向外方に傾斜している線状内縁を有する。周方向に間隔をおいて複数個の係止突条を形成することができ、或いは周方向に連続して延在する環状である１個の係止突条を形成することができる。
【発明の効果】
【００１０】
本発明の合成樹脂製容器蓋においては、タンパーエビデント裾部も幾分上昇されて、タンパーエビデント裾部に形成されている係止突条が口頸部に形成されている係止突条に係止せしめられ、周方向破断可能ラインが破断される時点においては、タンパーエビデント裾部の内周面の上下方向における特定部位が口頸部に形成されている係止突条の外周面に周方向全体に渡って弾性的に係止するのではなくて、周方向に間隔をおいて配設された複数個の突出リブが口頸部に形成されている係止突条の外周面に局部的に弾性的に係止せしめられ、従って口頸部に形成されている係止突条に対するタンパーエビデント裾部の密着力は比較的小さい。それ故に、周方向破断可能ラインが破断せしめられてタンパーエビデント裾部がスカート壁の主部から分離されると、タンパーエビデント裾部は上昇した位置に保持されることなく充分確実に降下せしめられる。
【図面の簡単な説明】
【００１１】
【図１】本発明に従って構成された合成樹脂製容器蓋の好適実施形態を、一部を断面で示す正面図。
【図２】図１に示す容器蓋のタンパーエビデント裾部の展開図。
【図３】図１に示す容器蓋の突出リブを示す部分斜面図。
【図４】図１に示す容器蓋を口頸部に装着した状態を示す、突出リブが形成されている部分の部分断面図。
【図５】図１に示す容器蓋を口頸部に装着した状態を示す、突出リブが形成されていない部分の部分断面図。
【図６】突出リブの変形例を示す部分斜視図。
【発明を実施するための形態】
【００１２】
以下、添付図面を参照して、本発明に従って構成された合成樹脂製容器蓋の好適実施形態について、更に詳述する。
【００１３】
図１を参照して説明すると、ポリエチレン又はポリプロピレンの如き適宜の合成樹脂から射出成形又は圧縮成形することができる容器蓋２は、円形天面壁４とこの天面壁４の周縁から垂下する円筒形スカート壁６とを具備する。天面壁４の内面外周縁部には、下方に垂下する円筒形状の内側シール片８及び同様に下方に垂下する円筒形状の外側シール片１０が形成されている。更に、内側シール片８の外周面基端部には比較的小さい環状突出部１２が形成されている。
【００１４】
スカート壁６は比較的肉厚の厚肉上部１４と比較的肉薄の薄肉下部１６を有する。薄肉下部１６の上端部には周方向に延びる破断可能ライン１８が形成されており、スカート壁６は破断可能ライン１８より上方の主部２０と破断可能ライン１８より下方のタンパーエビデント裾部２２とに区画されている。図示の実施形態においては、破断可能ライン１８は周方向に間隔をおいて周方向に延びる複数個のスリット（切り溝）２４とスリット２４間に残留せしめられている複数個の橋絡部２６とから構成されており、タンパーエビデント裾部２２は複数個の橋絡部２６を介して主部２０に接続されている。
【００１５】
スカート壁６の主部２０の外周面には、周方向に見て交互に存在する凹凸形状から構成された滑り止めローレット２８が形成されている。スカート壁６の主部２０の内周面には雌螺条３０が形成されている。タンパーエビデント裾部２２の内周面には係止突条３２が配設されている。係止突条３２は周方向に間隔をおいて複数個、図示の実施形態においては周方向に等角度間隔をおいて５個、配設されている。所望ならば、係止突条は周方向全周に連続して延在する環状であってもよい。係止突条３２の各々の主部（両端部を除く部分）は上方に向かって半径が漸次増大する下面３４、略円弧形状の外周面３６及び水平に延在する上面３８を有する。上面３８は半径方向内方に向かって下方に傾斜して延在していてもよい。タンパーエビデント裾部２２の内周面における、係止突条３２の上面に続く部位には、下方に向かって半径が漸次増大する逆円錐台形状である環状傾斜面４０が配設されている（図４を参照されたい）。
【００１６】
図１と共に図２及び図３を参照して説明を続けると、係止突条３２の上面３８の半径方向外側部位及び／又はタンパーエビデント裾部２２の内周面における係止突条３２の上面に続く部位（即ちタンパーエビデント裾部２２の内周面における上記環状傾斜面４０の下端部）には、周方向に間隔をおいて複数個の突出リブ４２が形成されていることが重要である。図示の実施形態においては、突出リブ４２は係止突条３２の上面３８の半径方向外側部位及びタンパーエビデント裾部２２の内周面における係止突条３２の上面に続く部位の双方に渡って形成されている。突出リブ４２は、図２を参照することによって明確に理解されるとおり、係止突条３２の各々に関して２個配設、更に詳しくは係止突条３２の各々の周方向中心に対して対称に２個配設されている。突出リブ４２の縦断面形状は略三日月状であり、図３を参照することによって明確に理解されるとおり、突出リブ４２は上方に向かって半径方向外方に傾斜して延びる曲面である内面４４を有している。
【００１７】
図１には、容器蓋２と共に容器の口頸部４６も図示されている。ポリエチレンテレフタレートの如き適宜の合成樹脂、ガラス或いは金属薄板から形成することができる容器の口頸部４６は全体として円筒形状であり、口頸部４６の外周面には雄螺条４８と雄螺条４８の下方に位置する係止突条５０が形成されている。図１と共に図４及び図５を参照することによって理解されるとおり、係止突条５０は下方に向かって外径が漸次増大する弧状の上面５２、上面５２に続いて下方に実質上鉛直に延びる外周面５４及び半径方向内方に向かって実質上水平に延びる下面５６を有する。外周面５４と下面５６との境界領域は滑らかな曲面（上記係止突条３２の内面４４の形状はこの曲面に対応している）をなす。口頸部４６の外周面には、更に、係止突条５０の下方に位置するサポートリング５８（かかるサポートリング５８は当業者には周知の如く容器の搬送に利用される）も配設されている。
【００１８】
容器内に内容物を充填した後に口頸部４６に容器蓋２を装着して口頸部４６を密封する際には、口頸部４６に容器蓋２を被嵌して容器蓋２を閉回転方向、図１において上方から見て時計方向、に回転せしめ、容器蓋２の雌螺条３０を口頸部４６の雄螺条４８に螺合せしめる。図１に示す状態まで雌螺条３０を雄螺条４８に螺合せしめると、容器蓋２の内側シール片８が口頸部４６内に進入して口頸部４６の内周面に密接され、環状突出部１２が口頸部４６の頂面に密接せしめられ、外側シール片１０が口頸部４６の外周面に密接乃至近接せしめられ、かくして口頸部４６が密封される。タンパーエビデント裾部２２の内周面に配設されている係止突条３２は口頸部４６の係止突条５０を弾性的に（即ちタンパーエビデント裾部２２の弾性変形乃至変位によって）乗り越えて係止突条５０の下方に位置する。
【００１９】
内容物を消費するために口頸部４６を開封する際には、容器蓋２を開方向、即ち図１において上方から見て反時計方向、に回転せしめる。かくすると、雄螺条４８と雌螺条３０の螺合が漸次解除され、スカート壁６の主部２０は回転と共に軸線方向上方に移動せしめられる。一方、タンパーエビデント裾部２２は係止突条３２が口頸部４６の係止突条５０に係止せしめられる故に軸線方向上方への移動が阻止され、かくして破断ライン１８の橋絡部２６に応力が生成されて橋絡部２６が破断され、タンパーエビデント裾部２２がスカート壁６の主部２０から切り離される。この際にはタンパーエビデント裾部２２も幾分上昇せしめられるが、タンパーエビデント裾部２２が上昇される初期段階においては上記環状傾斜面４０が係止突条５０の外周面５４に作用することによってタンパーエビデント裾部２２が漸次半径方向外方に変位せしめられ、そしてタンパーエビデント裾部２２が図４に図示する位置まで上昇せしめられると、周方向に間隔をおいて配設された突出リブ４２の内面４４のみが口頸部４６に形成されている係止突条３２の外周面５４と下面５６との境界領域に局部的に弾性的に係止せしめられる。図５を参照することによって理解される如く、突出リブ４２が存在しない領域においては、タンパーエビデント裾部２２の内周面と係止突条５０との間には間隙が存在する。従って、タンパーエビデント裾部２２の内周面の上下方向における特定部位が口頸部４６に形成されている係止突条５０の外周面に周方向全体に渡って弾性的に係止する場合と比較して、口頸部４６に形成されている係止突条５０に対するタンパーエビデント裾部２２の密着力は小さい。それ故に、橋絡部２６が破断せしめられてタンパーエビデント裾部２２がスカート壁６の主部２０から分離されると、タンパーエビデント裾部２２は上昇した位置に保持されることなく充分確実にサポートリング５８によって支持される位置まで下降せしめられる。破断可能ライン１８が破断された後においては、容器蓋２の主部２０は回転と共に軸線方向上方に自由に移動せしめられて口頸部４６から離脱され、かくして口頸部４６が開封される。
【００２０】
図６には、突出リブ４２が曲面から構成された内面に代えて直線状内縁６０を有する場合の変形例が図示されている。突出リブ４２の縦断面形状は三角形状であり、上方に向かって半径方向外方に傾斜する直線状内縁６０を有する。所望ならば、突出リブ４２の内縁６０を、口頸部４６の係止突条５０における外周面５４と下面５６との境界領域の局面に対応した曲線にすることもできる。突出リブ４２が直線状内縁６０あるいは曲線状内縁を有する変形例においては、口頸部４６を開封する際に突出リブ４２の各々が係止突条５０に局部的に点乃至線接触することになり、係止突条５０に対するタンパーエビデント裾部２２の密着力が一層小さくなる。
【符号の説明】
【００２１】
２：容器蓋
４：天面壁
６：スカート壁
１８：破断可能ライン
２２：タンパーエビデント裾部
２６：橋絡部
３２：係止突条
３８：上面
４２：突出リブ
４４：内面
４６：口頸部
５０：係止突条
６０：内縁
【図１】
2015182802.tif 000003
【図２】
2015182802.tif 000004
【図３】
2015182802.tif 000005
【図４】
2015182802.tif 000006
【図５】
2015182802.tif 000007
【図６】
2015182802.tif 000008